(57)【要約】      （修正有）【課題】所望の番組名が書き込まれたＤＶＤ等の光ディスクを装着するのみでハードディスクに記録された番組情報を自動的にダビングすることができるダビング機能付きレコーダを提供する。【解決手段】テレビジョン放送の番組名の書き込みに関した指令を発する入力手段１２と、情報記録媒体１０の管理情報エリヤから読み取られた番組名を含む管理情報等を記憶する記憶手段１４とがあって、電源パワーのオン後、前記情報記録媒体１０が所定の装着部に装着されているとき、この情報記録媒体１０の管理情報を読取部に読み取らせて番組名が書き込まれているか否かを判別し、番組名が書き込まれているときは、この番組名の受信情報がハードディスク８に記録されているか否かを検索し、前記受信情報が記録されているときは、この受信情報を前記情報記録媒体１０にダビングさせる制御を行う制御手段１５と、を備えた。【選択図】図１
2009049730.tif 000002
【特許請求の範囲】
【請求項１】
テレビジョン放送の受信番組情報をＨＤＤによりハードディスクに更新記録した後、この番組情報をドライバにより着脱式の情報記録媒体にダビングするダビング機能付きレコーダにおいて、
前記テレビジョン放送の番組名の書き込みに関した指令を発する入力手段と、
前記情報記録媒体の管理情報エリヤから読み取られた番組名を含む管理情報等を記憶する記憶手段と、
前記入力手段からの指令に従って前記情報記録媒体の管理情報エリヤに番組名を書き込みまたは書き込み済みの番組名を変更させる制御を行うとともに、
電源パワーのオン後、前記情報記録媒体が所定の装着部に装着されているとき、この情報記録媒体の管理情報を読取部に読み取らせて番組名が書き込まれているか否かを判別し、
番組名が書き込まれているときは、この番組名の受信情報が前記ハードディスクに記録されているか否かを検索し、
前記受信情報が記録されているときは、この受信情報を前記情報記録媒体にダビングさせる制御を行う制御手段と、を備えたダビング機能付きレコーダ。
【請求項２】
前記テレビジョン放送を表示するモニタが、映像・音声情報を出力する出力部に接続され、前記入力手段の入力情報を前記モニタに表示させる表示手段を備えたことを特徴とする請求項１に記載のダビング機能付きレコーダ。
【請求項３】
前記制御手段が、前記情報記録媒体の管理情報から残記録時間を検出する検出手段を備えており、前記ダビング開始時に、ダビング対象の番組情報の記録時間と残記録時間とを比較し、この残記録時間が少ないときは、前記情報記録媒体の記録レートを変更させ、この変更によっても不足するときは、前記表示手段により前記モニタにダビング不可を表示させるとともに、このダビング動作を終了させることを特徴とする請求項２または３に記載のダビング機能付きレコーダ。
【請求項４】
前記制御手段が、前記テレビジョン放送を受信する受信部を検索し、この受信部が前記情報記録媒体に書き込まれた番組名と一致する放送番組を受信したとき、この番組情報を前記ハードディスクおよび前記情報記録媒体に同時に記録させることを特徴とする請求項１または３の何れかに記載のダビング機能付きレコーダ。
【請求項５】
テレビジョン放送の受信番組情報をＨＤＤによりハードディスクに更新記録した後、この番組情報をドライバにより着脱式の情報記録媒体にダビングするダビング機能付きレコーダにおいて、
前記テレビジョン放送を表示するモニタと、
前記テレビジョン放送の番組名の書き込みに関した指令を発する入力手段と、
前記入力手段の入力情報を前記モニタに表示させる表示手段と、
前記情報記録媒体の管理情報エリヤから読み取られた番組名を含む管理情報等を記憶する記憶手段と、
前記情報記録媒体の管理情報から残記録時間を検出する検出手段と、
前記入力手段からの指令に従って前記モニタに入力情報を表示させながら、前記情報記録媒体の管理情報エリヤに番組名を書き込みまたは書き込み済みの番組名を変更させる制御を行うとともに、
電源パワーのオン後、前記情報記録媒体が所定の装着部に装着されているとき、この情報記録媒体の管理情報を読取部に読み取らせて番組名が書き込まれているか否かを判別し、
番組名が書き込まれているときは、この番組名の受信情報が前記ハードディスクに記録されているか否かを検索し、
前記受信情報が記録されているときは、前記検出手段の検出情報に基づいてダビング対象の番組情報の記録時間と残記録時間とを比較し、この残記録時間が少ないときは、前記情報記録媒体の記録レートを変更させ、この変更によっても不足するときは、前記表示手段により前記モニタにダビング不可を表示させる一方、残記録時間が多いときは、前記受信情報を前記情報記録媒体にダビングさせる制御を行う制御手段と、を備えたダビング機能付きレコーダ。
【発明の詳細な説明】
【技術分野】
【０００１】
本発明は、ハードディスク（ＨＤ）に更新記録したテレビジョン放送の番組情報をＤＶＤ等のリムーバブルメディアにダビングするダビング機能付きレコーダに係り、特に、番組名を書き込んだＤＶＤに地上波ディジタル放送の番組情報を自動的にダビング可能とし得るダビング機能付きレコーダに関する。
【背景技術】
【０００２】
テレビジョン放送の番組情報をＨＤに更新記録した後、ＤＶＤ等に効率良くダビングする装置が各種提案されており、その一例として、録画済番組を確実にダビング可能にすることを目的としたダビング機能付きレコーダが知られている。
【０００３】
このものは、ユーザーがリモコンの操作により情報記録部に保存されている番組表を基に、所望の放送予定番組の録画条件とダビング条件とを設定して録画予約し、情報記録部に保存しておく。
すると、この録画条件に基づいて、制御部がチューナ部部を制御し録画予約した放送番組を受信してＨＤＤに録画させる。
そして、ユーザーがダビング部にＤＶＤをセットし、リモコンでダビングの操作を行うと、情報記録部に保存されているダビング条件に合致した録画済番組をダビング可能となっている。
また、これらの情報がモニタの画面に表示され、番組の確認やダビング条件の確認、さらに、ＣＭスキップ等も確認したうえ、ダビングを行えるようになっている。
これにより、ユーザーが番組の予約をするときに、その番組のダビング条件（ＣＭスキップ等）を設定でき、ダビングする番組の確認もできるから、ダビング作業が削減され、所望の記録済番組のダビングを確実に行えるというものである。
【特許文献１】特開２００５−３４７８２５公報また、記録媒体に記録してある番組コンテンツデータから脱着式記録媒体にダビングする番組コンテンツデータを容易に選択することを目的とした録画装置も提案されている。この録画装置は、番組コンテンツデータおよびこのデータに係る番組情報が記憶されている脱着式記録媒体（ＤＶＤ）が装着部に装着された場合、この脱着式記録媒体に記録してある番組情報に関する番組情報を記録媒体（ＨＤ）から検索する検索手段（制御部）と、この検索手段による検索結果を示す検索結果表を作成する作成手段（制御部）とからなる。この録画装置においては、ユーザーがＨＤからＤＶＤへのダビング処理を指示すると、制御部がＤＶＤに録画されている番組データの番組タイトルを抽出する。そして、制御部は、抽出した番組タイトルの前半部分を検索キーワードに、ＨＤに録画されている番組データの番組タイトルに対して前方一致検索を行い、その結果を示す検索結果画像を作成してモニタ装置に表示させる。この後、制御部は、ＨＤからＤＶＤへダビングする番組データの選択を受け付け、選択された番組データをＨＤＤによってＨＤから読み出す。そして、この読み出した番組データをＤＶＤドライブによりＤＶＤにダビングさせる。これにより、ＤＶＤに既に記録してある番組コンテンツデータに関連した番組コンテンツデータを、ＨＤに記録してある番組コンテンツデータから選択する際のユーザーの操作負担を軽減することができる。
【特許文献２】特開平２００６−２６２０１３号公報
【発明の開示】
【発明が解決しようとする課題】
【０００４】
ところで、上記特許文献１のダビング機能付きレコーダは、ＨＤからＤＶＤへのダビングに際し、設定条件に合致する録画済番組をＤＶＤにダビングさせるが、予めＤＶＤに番組タイトルを書き込んでおき、この番組タイトルに一致したものを自動的にダビングする機能を有していない。
よって、ユーザーは、従来と同様の操作を行わなければならず、ダビング作業の軽減には一定の限界があった。
また、上記特許文献２の録画装置は、ＨＤに記録してある番組コンテンツデータから選択する際のユーザーの操作負担を軽減することはできるが、ＨＤからＤＶＤへのダビング処理をユーザーが指示する必要がある。
このため、ユーザーは、前述のようなダビング操作を行わなければならず、ダビング操作の負担軽減には限界があった。
本発明は、上記課題に鑑みてなされたもので、所望の番組名が書き込まれたＤＶＤ等の光ディスクを装着するのみでハードディスクに記録された番組情報を自動的にダビングすることができるダビング機能付きレコーダを提供することを目的としている。  
【課題を解決するための手段】
【０００５】
上記目的を達成するため、本発明によるダビング機能付きレコーダは、テレビジョン放送の受信番組情報をＨＤＤによりハードディスクに更新記録した後、この番組情報をドライバにより着脱式の情報記録媒体にダビングするダビング機能付きレコーダにおいて、前記テレビジョン放送の番組名の書き込みに関した指令を発する入力手段と、前記情報記録媒体の管理情報エリヤから読み取られた番組名を含む管理情報等を記憶する記憶手段と、前記入力手段からの指令に従って前記情報記録媒体の管理情報エリヤに番組名を書き込みまたは書き込み済みの番組名を変更させる制御を行うとともに、電源パワーのオン後、前記情報記録媒体が所定の装着部に装着されているとき、この情報記録媒体の管理情報を読取部に読み取らせて番組名が書き込まれているか否かを判別し、番組名が書き込まれているときは、この番組名の受信情報が前記ハードディスクに記録されているか否かを検索し、前記受信情報が記録されているときは、この受信情報を前記情報記録媒体にダビングさせる制御を行う制御手段と、を備えたことを特徴としている。
また、前記テレビジョン放送を表示するモニタが、映像・音声情報を出力する出力部に接続され、前記入力手段の入力情報を前記モニタに表示させる表示手段を備えたことを特徴としている。
また、前記制御手段が、前記情報記録媒体の管理情報から残記録時間を検出する検出手段を備えており、前記ダビング開始時に、ダビング対象の番組情報の記録時間と残記録時間とを比較し、この残記録時間が少ないときは、前記情報記録媒体の記録レートを変更させ、この変更によっても不足するときは、前記表示手段により前記モニタにダビング不可を表示させるとともに、このダビング動作を終了させることを特徴としている。
また、前記制御手段が、前記テレビジョン放送を受信する受信部を検索し、この受信部が前記情報記録媒体に書き込まれた番組名と一致する放送番組を受信したとき、この番組情報を前記ハードディスクおよび前記情報記録媒体に同時に記録させることを特徴としている。
さらに、テレビジョン放送の受信番組情報をＨＤＤによりハードディスクに更新記録した後、この番組情報をドライバにより着脱式の情報記録媒体にダビングするダビング機能付きレコーダにおいて、前記テレビジョン放送を表示するモニタと、前記テレビジョン放送の番組名の書き込みに関した指令を発する入力手段と、前記入力手段の入力情報を前記モニタに表示させる表示手段と、記情報記録媒体の管理情報エリヤから読み取られた番組名を含む管理情報等を記憶する記憶手段と、前記情報記録媒体の管理情報から残記録時間を検出する検出手段と、前記入力手段からの指令に従って前記モニタに入力情報を表示させながら、前記情報記録媒体の管理情報エリヤに番組名を書き込みまたは書き込み済みの番組名を変更させる制御を行うとともに、電源パワーのオン後、前記情報記録媒体が所定の装着部に装着されているとき、この情報記録媒体の管理情報を読取部に読み取らせて番組名が書き込まれているか否かを判別し、番組名が書き込まれているときは、この番組名の受信情報が前記ハードディスクに記録されているか否かを検索し、前記受信情報が記録されているときは、前記検出手段の検出情報に基づいてダビング対象の番組情報の記録時間と残記録時間とを比較し、この残記録時間が少ないときは、前記情報記録媒体の記録レートを変更させ、この変更によっても不足するときは、前記表示手段により前記モニタにダビング不可を表示させる一方、残記録時間が多いときは、前記受信情報を前記情報記録媒体にダビングさせる制御を行う制御手段と、を備えたことを特徴としている。
【発明の効果】
【０００６】
以上説明したように、本発明によるダビング機能付きレコーダは、所定の装着部に装着された情報記録媒体に番組名が書き込まれていると、この番組名の受信情報が前記ハードディスクに記録されているか否かを検索し、当該受信情報が記録されているときに、この受信情報を前記情報記録媒体に自動ダビングさせるので、ユーザーは情報記録媒体を装着するだけで所望の放送番組をダビングすることができ、従来のように、煩瑣なダビング操作が不要となり、取り扱いが簡便になる効果がある。
また、入力手段の入力情報をモニタに表示させることができるので、情報記録媒体への番組名の書き込み操作が容易になる利点がある。
また、ダビング開始時に、ダビング対象の番組情報の記録時間よりも情報記録媒体の残記録時間が少ないときは、情報記録媒体の記録レートを変更させるので、所望の番組情報を支障なくダビングできる。
そして、この記録レート変更によっても不足するときは、表示手段によりモニタにダビング不可を表示させるとともに、このダビング動作を終了させるので、ユーザーに情報記録媒体の交換を促すことができるといった利点がある。
また、テレビジョン放送を受信する受信部が前記情報記録媒体に書き込まれた番組名と一致する放送番組を受信したとき、この番組情報をハードディスクおよび情報記録媒体に同時に記録させることから、両者への記録を効率良く行える利点がある。
さらに、所定の装着部に装着された情報記録媒体に番組名が書き込まれていると、残記録時間を検索したうえ、この番組名の受信情報を前記ハードディスクから情報記録媒体に自動ダビングさせるので、ユーザーは情報記録媒体を装着するだけで所望の放送番組をダビングすることができ、従来のように、煩瑣なダビング操作が不要となり、取り扱いが簡便になる効果がある。
【発明を実施するための最良の形態】
【０００７】
以下、本発明に係るダビング機能付きレコーダの実施形態について、図面を参照しながら詳述する。
図１は本発明の一実施形態であるダビング機能付きレコーダの電気的構成を示すブロック線図である。
本実施形態のダビング機能付きレコーダは、ハードディスクレコーダ（ＨＤレコーダ）１に適用されたもので、テレビ放送番組の受信音声・映像情報をハードディスク（ＨＤ）に更新記録し、この記録された音声・映像情報をＤＶＤ等にダビング可能な構成となっている。
図１において、２はチューナ部であり、地上波アンテナで受信された地上波ディジタル放送が入力する。
このチューナ部２は、制御部１５の選局指令によるチャンネルの放送波を受信してデコーダ３に送出する。
このデコーダ３は、チューナ部２からの放送波信号を復調してディジタル信号をＤ／Ａ変換部（Ｄ／Ａ）４に出力する。このＤ／Ａ４は、ディジタル信号をアナログ信号に変換して出力端子５に送出する。
この出力端子５には、テレビジョン受像機等のモニタが接続されるようになっている。
６はＯＳＤ（On Screen Display）回路であり、制御部１５の表示制御によって、テレビモニタ側に表示情報を送出し、画面に各種のサインおよびメニュー等を表示させる。
サインとしては、ＤＶＤ１０が装着されたときに「番組名を書き込んで下さい」やダビング開始時に「残記録時間がありません」等を含んでいる。
また、メニューは、図２に示す如く設定、調整等といった基本項目の他に番組名書き込みを含んでいる。この番組名書き込みは、ダビング用のＤＶＤに所望の番組名を記録するもので、リモコン１２のキー操作により入力可能となっている。
７はＨＤＤ（ハードディスクドライバ）であり、図示省略したＨＤＤ記録／再生系によって制御される。
このＨＤＤ記録／再生系は、制御部１５の記録指令に応じてハードディスク（ＨＤ）８に受信番組の音声・映像情報を更新記録する。
【０００８】
このＨＤ８は、記録エリヤが外周と内周とに分かれており、外周側の情報記録エリヤにテレビ放送電波の受信番組情報が記録され、内周側の管理情報エリヤに前記記録内容に関する管理情報が記録される。
この管理情報には、チャンネル、番組名、記録日時、記録時間および情報量等が含まれる。
また、このＨＤＤ７は、制御部１５の再生指令に従って記録情報を再生し、モニタ側に送出する。さらに、ダビング指令に従って記録情報を再生しつつディスクドライバ９に供給し、ＤＶＤ１０に記録させる。
９はディスクドライバ（ドライバ）であり、ディスク記録／再生系によって制御される。
このディスク記録／再生系は、制御部１５の記録指令に応じて、ＤＶＤ１０に前記音声・映像情報を記録させたり、再生指令に従ってＤＶＤ１０から音声・映像情報を読み取らせ、その再生情報を出力する。
このＤＶＤ１０は、データを格納するための領域として、リードインエリア、データエリアおよびリードアウトエリアを有している。なお、リードインエリアには、コントロールデータや管理情報が記録される。
この管理情報には、ＤＶＤのシリアル番号、記録された番組名、記録日時、記録時間、情報量および記録レート等が含まれる。
１１は残量検出部であり、前記リードインエリアの管理情報が読み出されたとき、データエリアに記録された情報量や記録レート等を検出する。
なお、制御部１５は、情報量および記録レートから当該ＤＶＤ１０に記録可能な残量時間を演算する。
そして、予約番組の記録時間とＤＶＤ１０の残記録時間を比較し、番組がＤＶＤ１０に効率的に収まるように記録レートを変更する。この記録レートは、ＸＰ，ＳＰ，ＬＰ，ＥＰ等であり、レート変更は番組の途中であっても実行可能な構成となっている。
１２はリモコンであり、普及型の機種と同じくテンキー、メニューキー、決定キーおよびクリヤキーを備えている。また、再生開始、一時停止、早送り、早戻し、停止およびスキップキーといった各種機能キー、十字キーやカーソルキー（選択キーと兼用）も具備している。
【０００９】
このリモコン１２は、何れかのキーが押圧操作されると、この操作内容に応じた指令信号が赤外線信号で送信され、受信部１３を介してＨＤレコーダ１の制御部１５側に送られる。
【００１０】
なお、テンキーには、番組名等を入力するために文字が割り当てられている。また、メニューキーは、モニタの画面に各種メニュー項目を表示させる。
【００１１】
１４はワークメモリ（メモリ）であり、自動同期ダビングにおいて、管理情報その他の情報を記憶する。
１５は制御部であり、ＨＤレコーダ１全体の動作を制御するマイクロコンピュータであって、前記回路各部とはその機能に応じて一方向性あるいは双方向性に接続されている。
【００１２】
また、この制御部１５は、リモコン１２からのダビング指令を受けてＨＤ８に記録された音声・映像情報を再生しつつ、ＤＶＤ１０に通常のダビングを行わせる。
【００１３】
また、ＤＶＤ１０の装着を認識したときは、自動同期ダビングモードに移行してＨＤ８の音声・映像情報を再生しつつＤＶＤ１０にダビングしたり、受信番組情報をＨＤ８に記録させながらＤＶＤ１０にも自動記録させる、といった動作制御を行う構成となっている。
次に、上記ＨＤレコーダによる動作について、図４のフローチャートを参照しつつ説明する。
ユーザーが、所望の放送番組を簡便にダビングしたい場合、事前の準備としてＤＶＤ１０にその番組名を記録しておく。
まず、ユーザーがリモコン１２を操作し、パワーオンに続いてメニューキーを押下すると、制御部１５はこれに応じてＯＳＤ回路６を動作させることにより、モニタの画面にメニューを表示させる。
ユーザーが、図２に示すメニュー一覧の中から、「番組名書き込み」の項目を選択すると、制御部１５は番組名書き込みモードに移行する。これに伴い、画面が「番組名書き込み」に切り替わり、文字入力が可能となる。
例えば、ＭＨＫ放送局の「春秋物語」を入力したい場合、文字が割り当てられたリモコン１２のキーを操作すると、順次ＨＤレコーダ１側ヘ送られる。
ＨＤレコーダ１の制御部１５は、これに応じて図３に示す如く画面に「春秋物語」の文字を表示させる。また、ＨＤＤ７を動作させることにより、ＤＶＤ１０の管理情報エリヤに「春秋物語」の文字データを書き込ませる。
この後、ユーザーは、リモコン１２の操作によりＨＤレコーダ１の更新記録を実行させる。
これに伴い、地上波ディジタル放送が入力し、ＨＤ８の記録エリヤに番組情報が記録されるとともに、管理情報エリヤに前記記録内容に関する管理情報が順次記録されてゆく。
そして、この更新記録がなされてから、ユーザーが番組情報をＤＶＤ１０にダビングしたいときは、このＤＶＤ１０をＨＤレコーダ１のトレイに挿入する。
いま、ユーザーが電源パワーをオンすると、制御部１５は、装着部にＤＶＤ１０が装着されているか否かをチェックする（ステップＳ１１）。
この制御部１５は、装着部に予めＤＶＤ１０が装着されているときも、パワーオン後に装着された場合も、ＤＶＤ１０の装着状態を判別する。
ここで、制御部１５がＤＶＤ１０の装着を認識すると、直ぐに自動同期ダビングモードに移行する（ステップＳ１２）。
この自動同期ダビングモードでは、制御部１５がドライバ９を動作させ、読取部によりＤＶＤ１０のリードインエリヤの情報を読み取らせる。そして、読み取った管理情報をメモリ１４の所定エリヤに記憶させる（ステップＳ１３）。
つぎに、制御部１５は、この管理情報に番組名の文字データが含まれているか否かを判別する（ステップＳ１４）。
ここで、ＤＶＤ１０に番組名が書き込まれていないと判別したときは、自動ダビングモードを実行せず、この動作を終了する（ステップＳ１５）。
一方、番組名が書き込まれているときは、ＨＤＤ７を動作させることによりＨＤ８の管理情報エリヤを検索し、前記ＤＶＤ１０側の番組名（文字データ）とＨＤ８に記録されている番組情報の文字データとが一致するか否かを比較する（ステップＳ１６）。
ここで、一致しないときは、ダビングを実行せず、自動同期ダビングモードの動作を終了する（ステップＳ１５）。
一致したときは、制御部１５がＨＤ８の管理情報を検索し、当該番組がダビングされている番組情報であるか否かを検索する（ステップＳ１７）。
なお、このダビング検索は、地上波ディジタル放送の番組情報をダビングする場合、回数の規制があるために、毎回、ダビング済みか否かを判別するようソフトを組み込んでいる。
本例では、「春秋物語」の番組情報がダビングされているか否かを判別し、既にダビングされていると、自動同期ダビングモードを実行せず、動作を終了する（ステップＳ１５）。
一方、「春秋物語」がダビングされていない場合は、制御部１５が残量検出部１１を検索し、前記ＤＶＤ１０の残量時間（残記録時間）を判別する（ステップＳ１８）。
続いて、番組情報の録画時間と残記録時間とを比較し（ステップＳ１９）、録画時間より残記録時間が大きい場合は、同期ダビングを開始させる（ステップＳ２１）
しかし、録画時間に対して残記録時間が少なければ、その必要時間に応じて録画レートを変更させる（ステップＳ２０）。
なお、変更後の録画レートにより、ダビングが可能であれば同期ダビングを開始させるが、変更によってもダビングができないと判別したときは、ＯＳＤ回路６を動作させ、モニタの画面に「ダビングできません。ディスクを交換して下さい。」といったサインを表示させる。
また、トレーを自動的に排出動作させて、ＤＶＤ１０を交換可能とする。
よって、ユーザーは手動操作で録画レートを変更したり、トレーを排出させる操作を行う必要はない。
ステップＳ２１における同期ダビングにおいては、制御部１５がＨＤＤ７およびドライバ９を動作させることにより、ＨＤ８に記録されている番組情報「春秋物語」を再生させつつ、ＤＶＤ１０に記録させる。
この後、制御部１５は、「春秋物語」のダビングが終了したか否かを判別し（ステップＳ２２）、終了した時点で自動同期ダビング動作を停止する。
そして、ＨＤ８の管理情報エリヤにこのダビング済の番組名を記録させ、一連の動作を終了する（ステップＳ２３）。
このように、ユーザーはＤＶＤ１０をＨＤレコーダ１のトレイに挿入しておくだけで、所望の放送番組を簡便にダビングすることができる。
ところで、上記実施の形態では、地上波ディジタル放送を受信する例について説明したが、従来のテレビジョン放送波を受信する場合にも適用することができる。
前述のように、地上波ディジタル放送の番組情報をダビングする場合は、回数規制により、毎回、ダビング済みか否かを判別したが、一般のテレビジョン放送を受信してダビングする場合は規制がないために、ＨＤ８とＤＶＤ１０の双方に所望の番組を同時記録させる、といったことができる。
この場合は、上記ステップＳ１４において、ＤＶＤ１０に番組名の書き込みがあると判別したとき、ステップＳ１８に進み、残記録時間を判別した後、番組名と同じ番組情報を受信した時点でＨＤ８と同時に記録を開始するよう、構成すればよい。
また、上記実施の形態では、ＤＶＤ１０に予め番組名を書き込んである場合について説明したが、これを簡便に変更することも可能である。
例えば、ＨＤに記録された番組情報に合わせたいときは、前述の如くユーザーがリモコン１２を操作し、モニタの画面に「春秋物語」を一度表示させ、これを消去した後、あるいは上書きにより新たな番組名を入力する。
これにより、ＤＶＤ１０の管理情報エリヤに新規の文字データが書き込まれるので、番組名の書き換えが容易である。
なお、本発装置明は上記の各実施形態に限定されず、本発明の趣旨を逸脱しない範囲で、種々の変更が可能である。
【図面の簡単な説明】
【００１４】
【図１】本発明の一実施形態であるダビング機能付きレコーダの電気的構成を示すブロック線図である。
【図２】メニュー項目を示すモニタの画面図である。
【図３】番組名の書き込み例を示すモニタの画面図である。
【図４】自動同期ダビング動作を説明するためのフローチャートである。
【符号の説明】
【００１５】
８      ハードディスク
１０    情報記録媒体
１２    入力手段
１４    記憶手段
１５    制御手段
【図１】
2009049730.tif 000003
【図２】
2009049730.tif 000004
【図３】
2009049730.tif 000005
【図４】
2009049730.tif 000006